(57)【特許請求の範囲】
【請求項１】
基板と、
前記基板の一方の面に配置され、第１の方向に伸びる複数の第１の電極と、
前記基板の他方の面に配置され、前記第１の方向と交差する第２の方向に伸びる複数の第２の電極と、
を含み、
前記第１及び第２の電極はメッシュ状に形成される導体線を含み、前記第２の電極の導体線のピッチは前記第１の電極の導体線のピッチより大きく、前記第１の電極と前記第２の電極との交差領域で前記第２の電極の導体線は前記第１の電極の導体線の一部と一つの線状を形成し、前記第１の電極の導体線の線幅は前記第２の電極の導体線の線幅より広いタッチパネル。
【請求項２】
前記第１の電極と第２の電極の幅は同じである、請求項１に記載のタッチパネル。
【請求項３】
前記第２の電極の導体線のピッチは前記第１の電極の導体線のピッチの２〜４倍である、請求項１または２に記載のタッチパネル。
【請求項４】
前記第２の電極の導体線のピッチは前記第１の電極の導体線のピッチの３倍である、請求項３に記載のタッチパネル。
【請求項５】
前記第１の電極の導体線のピッチは３００μｍ〜５００μｍである、請求項３または４に記載のタッチパネル。
【請求項６】
前記第１の電極の導体線の線幅は５μｍである、請求項１から５のいずれか１項に記載のタッチパネル。
【請求項７】
前記第２の電極の導体線の線幅は３μｍである、請求項１から６のいずれか１項に記載のタッチパネル。
【請求項８】
請求項１から７の何れか１項に記載のタッチパネルを含むパネル部と、
前記複数の第１の電極に所定の駆動信号を印加し、前記複数の第２の電極から静電容量を検出してタッチ入力を判断する制御部と、
を含むタッチスクリーン装置。
【発明の詳細な説明】
【技術分野】
【０００１】
本発明は、タッチパネル及びこれを含むタッチスクリーン装置に関する。
【背景技術】
【０００２】
タッチスクリーン、タッチパッド等のようなタッチスクリーン装置は、ディスプレイ装置に付着されてユーザーに直感的な入力方法を提供することができる入力装置であり、最近では、携帯電話、ＰＤＡ（Ｐｅｒｓｏｎａｌ  Ｄｉｇｉｔａｌ  Ａｓｓｉｓｔａｎｔ）、ナビゲーション等のような多様な電子機器に広く適用されている。特に、スマートフォンへの需要が増加するにつれ、制限されたフォームファクタで多様な入力方法を提供することができるタッチスクリーン装置へのタッチスクリーンの採用率が増加している。
【０００３】
携帯用機器に適用されるタッチスクリーンは、タッチ入力を感知する方法によって大きく抵抗膜方式と静電容量方式に分けられる。この中で、静電容量方式は、相対的に寿命が長くて多様な入力方法とジェスチャーが容易に具現できるという長所によってその適用率が次第に高まっている。特に、静電容量方式は、抵抗膜方式と比べてマルチタッチインターフェースを具現するのが容易であるため、スマートフォン等の機器に幅広く適用される。
【０００４】
静電容量方式のタッチスクリーンは、一定のパターンを有する複数の電極を含み、タッチ入力によって静電容量の変化が生成される複数のノードが上記複数の電極によって定義される。２次元平面に分布する複数のノードはタッチ入力によって自己静電容量（Ｓｅｌｆ‐Ｃａｐａｃｉｔａｎｃｅ）又は結合静電容量（Ｍｕｔｕａｌ‐Ｃａｐａｃｉｔａｎｃｅ）の変化を生成し、複数のノードで生成される静電容量の変化に加重平均計算法などを適用してタッチ入力の座標を計算することができる。
【０００５】
従来のタッチパネルでは、タッチを認識するセンシング電極を、通常、ＩＴＯ（Ｉｎｄｉｕｍ  Ｔｉｎ  Ｏｘｉｄｅ；インジウム‐スズ酸化物）で形成した。しかしながら、ＩＴＯの場合、原料であるインジウム（Ｉｎｄｉｕｍ）が希土類金属で高価であるため、価格競争力が落ちる上、１０年内に枯渇すると予想されるため、需給が円滑ではないという問題がある。上記のような理由で不透明な導電体細線を用いて電極を形成しようとする研究が行われており、金属のような導電体細線で形成される電極はＩＴＯや伝導性高分子と比べて電気伝導度に優れ需給が円滑であるという長所がある。
【０００６】
但し、一定の面積を有するＩＴＯ電極とは異なり、導電体細線は、薄い線からなるため、接触物体を介して流入するノイズ及びＬＣＤのノイズに弱いという問題を有する。
【先行技術文献】
【特許文献】
【０００７】
【特許文献１】米国特許８４０５６３３号公報
【発明の概要】
【発明が解決しようとする課題】
【０００８】
本発明は、前述した従来技術の問題を解決するためのものであり、基板の下面に配置される第１の電極の幅が基板の上面に配置される第２の電極の幅と同じであり、第１の電極の導体線のピッチが第２の電極の導体線のピッチより小さく、第２の電極の導体線が第１の電極の導体線の一部と線状を形成するタッチパネル及びタッチスクリーン装置を提供することを目的とする。
【課題を解決するための手段】
【０００９】
本発明の第１の技術的な側面によれば、基板と、上記基板の下面に配置され、第１の方向に伸びる複数の第１の電極と、上記基板の上面に配置され、上記第１の方向と交差する第２の方向に伸びる複数の第２の電極と、を含み、上記第１及び第２の電極はメッシュ状に形成される導体線を含み、上記第２の電極の導体線のピッチは上記第１の電極の導体線のピッチより大きく、上記第１の電極と上記第２の電極との交差領域で上記第２の電極の導体線は上記第１の電極の導体線の一部と一つの線状を形成するタッチパネルが提供される。
【００１０】
上記第１の電極と第２の電極の幅は同じであれば良い。
【００１１】
上記第２の電極の導体線のピッチは上記第１の電極の導体線のピッチの２〜４倍であれば良い。
【００１２】
上記第２の電極の導体線のピッチは上記第１の電極の導体線のピッチの３倍であれば良い。
【００１３】
上記第１の電極の導体線のピッチは３００μｍ〜５００μｍであれば良い。
【００１４】
上記第１の電極の導体線の線幅は上記第２の電極の導体線の線幅より広ければ良い。
【００１５】
上記第１の電極の導体線の線幅は５μｍであれば良い。
【００１６】
上記第２の電極の導体線の線幅は３μｍであれば良い。
【００１７】
本発明の第２の技術的な側面によれば、基板の下面に配置され第１の方向に伸びる複数の第１の電極及び上記基板の上面に配置され上記第１の方向と交差する第２の方向に伸びる複数の第２の電極を含むパネル部と、上記複数の第１の電極に所定の駆動信号を印加し、上記複数の第２の電極から静電容量を検出してタッチ入力を判断する制御部と、を含み、上記第１及び第２の電極はメッシュ状に形成される導体線を含み、上記第２の電極の導体線のピッチは上記第１の電極の導体線のピッチより大きく、上記第１の電極と上記第２の電極との交差領域で上記第２の電極の導体線は上記第１の電極の導体線の一部と一つの線状を形成するタッチスクリーン装置が提供される。
【００１８】
上記第１の電極と第２の電極の幅は同じであれば良い。
【００１９】
上記第２の電極の導体線のピッチは上記第１の電極の導体線のピッチの２〜４倍であれば良い。
【００２０】
上記第２の電極の導体線のピッチは上記第１の電極の導体線のピッチの３倍であれば良い。
【００２１】
上記第１の電極の導体線のピッチは３００μｍ〜５００μｍであれば良い。
【００２２】
上記第１の電極の導体線の線幅は上記第２の電極の導体線の線幅より広ければ良い。
【００２３】
上記第１の電極の導体線の線幅は５μｍであれば良い。
【００２４】
上記第２の電極の導体線の線幅は３μｍであれば良い。
【発明の効果】
【００２５】
本発明の一実施例によるタッチパネル及びタッチスクリーン装置は、基板の下面に配置される第１の電極の幅が基板の上面に配置される第２の電極の幅と同じであり、第１の電極の導体線のピッチが第２の電極の導体線のピッチより小さく、第２の電極の導体線が第１の電極の導体線の一部と線状を形成することにより、接触物体から流入するノイズ及びＬＣＤのノイズに強くなることができる。
【図面の簡単な説明】
【００２６】
【図１】本発明の一実施例によるタッチスクリーン装置を備える電子機器の外観を示す斜視図である。
【図２】本発明の一実施例によるタッチスクリーン装置に含まれるタッチパネルを示す図である。
【図３】図２の実施例によるタッチパネルをより詳細に示す図である。
【図４】図２及び図３のタッチパネルの断面図である。
【図５】本発明の実施例によるタッチスクリーン装置を示す図である。
【図６】図３のタッチパネルのＡ部分の拡大図である。
【図７】図６の第１の電極を示す図である。
【図８】図６の第２の電極を示す図である。
【発明を実施するための形態】
【００２７】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
【００２８】
図１は、本発明の一実施例によるタッチスクリーン装置を備える電子機器の外観を示す斜視図である。
【００２９】
図１を参照すると、本実施例による電子機器１００は、画面を出力するためのディスプレー装置１１０、入力部１２０、音声出力のためのオーディオ部１３０等を含み、ディスプレー装置１１０と一体化されている接触感知装置を備えることができる。
【００３０】
図１に示されているように、モバイル機器の場合、タッチスクリーン装置は、ディスプレー装置に一体化されて備えられることが一般的であり、ディスプレー装置の画面が透過できる程度に高い光透過率を有しなければならない。したがって、タッチスクリーン装置は、ＰＥＴ（Ｐｏｌｙｅｔｈｙｌｅｎｅ  ｔｅｒｅｐｈｔｈａｌａｔｅ）、ＰＣ（ｐｏｌｙｃａｒｂｏｎａｔｅ）、ＰＥＳ（ｐｏｌｙｅｔｈｅｒｓｕｌｆｏｎｅ）、ＰＩ（ｐｏｌｙｉｍｉｄｅ）、ＰＭＭＡ（Ｐｏｌｙｍｅｔｈｙｌｍｅｔｈａｃｒｙｌａｔｅ）、ＣＯＰ（Ｃｙｃｌｏ‐Ｏｌｅｆｉｎ  Ｐｏｌｙｍｅｒｓ）等のフィルム、ソーダガラス（Ｓｏｄａ  ｇｌａｓｓ）、又は強化ガラス（ｔｅｍｐｅｒｅｄ  ｇｌａｓｓ）のような材質の透明な基板に電気伝導性を有する物質で電極を形成することにより具現されることができる。ディスプレー装置のベゼル領域には電気伝導性物質で形成された電極と連結される配線パターンが配置され、配線パターンはベゼル領域によって視覚的に遮蔽される。
【００３１】
本発明によるタッチスクリーン装置は、静電容量方式により動作することを仮定するため、所定のパターンを有する複数の電極を含むことができる。また、複数の電極で生成される静電容量の変化を検出するための静電容量感知回路、静電容量感知回路の出力信号をデジタル値に変換するアナログ‐デジタル変換回路、デジタル値に変換されたデータを用いてタッチ入力を判断する演算回路等を含むことができる。
【００３２】
図２は、本発明の一実施例によるタッチスクリーン装置に含まれるタッチパネルを示す図である。
【００３３】
図２を参照すると、本実施例によるタッチパネル２００は、基板２１０と、基板２１０上に設けられる複数の電極２２０、２３０と、複数の電極２２０、２３０のそれぞれと連結される複数のパッド２４０、２５０と、を含む。図２には示されていないが、複数の電極２２０、２３０のそれぞれと連結される複数のパッド２４０、２５０は、配線及びボンディングパッドにより基板２１０の一端に付着される回路基板の配線パターンと電気的に連結されることができる。回路基板にはコントローラー集積回路が実装されて複数の電極２２０、２３０で生成される感知信号を検出し、そこからタッチ入力を判断することができる。
【００３４】
基板２１０は、複数の電極２２０、２３０が形成されるための透明な基板であれば良い。したがって、前述したように、基板２１０は、ＰＥＴ（Ｐｏｌｙｅｔｈｙｌｅｎｅ  ｔｅｒｅｐｈｔｈａｌａｔｅ）、ＰＣ（ｐｏｌｙｃａｒｂｏｎａｔｅ）、ＰＥＳ（ｐｏｌｙｅｔｈｅｒｓｕｌｆｏｎｅ）、ＰＩ（ｐｏｌｙｉｍｉｄｅ）、ＰＭＭＡ（Ｐｏｌｙｍｅｔｈｙｌｍｅｔｈａｃｒｙｌａｔｅ）、ＣＯＰ（Ｃｙｃｌｏ‐Ｏｌｅｆｉｎ  Ｐｏｌｙｍｅｒｓ）等のフィルム、ソーダガラス（Ｓｏｄａ  ｇｌａｓｓ）又は強化ガラス（ｔｅｍｐｅｒｅｄ  ｇｌａｓｓ）のような材質で形成されることができる。
【００３５】
複数の電極２２０、２３０は、Ｘ軸方向に伸びる第１の電極２２０と、Ｙ軸方向に伸びる第２の電極２３０と、を含む。第１の電極２２０と第２の電極２３０は、基板２１０の両面に設けられるか又は基板２１０の一面に全て設けられることができる。第１の電極２２０と第２の電極２３０が基板２１０の一面に全て設けられる場合は、当該第１の電極２２０と第２の電極２３０との交差地点に部分的に所定の絶縁層を形成することができる。また、上記とは異なり、第１の電極２２０と第２の電極２３０は、相違した基板に設けられて交差しても良い。
【００３６】
また、基板２１０のうち、複数の電極２２０、２３０が形成される領域を除き、複数の電極２２０、２３０のそれぞれと連結される複数のパッド２４０、２５０が設けられる領域には、通常、不透明な金属物質で形成される配線を視覚的に遮蔽するための所定の印刷領域が形成されることができる。
【００３７】
複数の電極２２０、２３０と電気的に連結されてタッチ入力を感知する装置は、タッチ入力によって複数の電極２２０、２３０で生成される静電容量の変化を検出し、そこからタッチ入力を感知する。第１の電極２２０はコントローラー集積回路においてＤ１〜Ｄ８と定義されるチャネルに連結されて所定の駆動信号を印加され、第２の電極２３０はＳ１〜Ｓ８と定義されるチャネルに連結されて接触感知装置が感知信号を検出するのに用いられることができる。この際、コントローラー集積回路は、第１の電極２２０と第２の電極２３０との間で生成される結合静電容量（Ｍｕｔｕａｌ‐ｃａｐａｃｉｔａｎｃｅ）の変化を感知信号として検出し、第１の電極２２０のそれぞれに駆動信号を順次印加し、第２の電極２３０から同時に静電容量の変化を検出する方式で動作することができる。
【００３８】
図３は、図２の実施例によるタッチパネルをより詳細に示す図である。図３を参照すると、複数の電極２２０、２３０は導体線を含み、複数の電極２２０、２３０を構成する導体線は網状又はメッシュ状に形成されることができる。導体線が網状又はメッシュ状に形成されることにより、従来のＩＴＯ（Ｉｎｄｉｕｍ‐Ｔｉｎ  Ｏｘｓｉｄｅ）電極の存在する領域にパターニングの跡が示されていた現象を減少させ、タッチパネルの透過性を向上させることができる。
【００３９】
複数の電極２２０、２３０を構成する導体線は、図３にはひし形又は四角形で示されているが、これに限定されず、六角形、八角形、ダイヤモンド形及び無定形（ｒａｎｄｏｍ）等の多様な形状であっても良い。
【００４０】
複数の電極２２０、２３０を構成する導体線は、銀（Ａｇ）、アルミニウム（Ａｌ）、クロム（Ｃｒ）、ニッケル（Ｎｉ）、モリブデン（Ｍｏ）、銅（Ｃｕ）のいずれか一つ又はこれらの合金で製造されることができる。複数の電極２２０、２３０が金属で製造されることにより、電極の抵抗値が減少し、これにより、伝導性及び検出感度が向上することができる。
【００４１】
図４は、図２及び図３のタッチパネルの断面図であり、図２及び図３の基板２１０、複数の電極２２０、２３０、複数のパッド２４０、２５０（図示せず）以外にも接触を受けるカバーレンズ２６０（Ｃｏｖｅｒ  Ｌｅｎｓ）をさらに含むことができる。カバーレンズ２６０は、感知信号の検出に用いられる第２の電極２３０上に設けられ、指等の接触物体２７０からタッチ入力を受ける。
【００４２】
チャネルＤ１〜Ｄ８を介して第１の電極２２０に駆動信号が順次印加されると、駆動信号が印加された第１の電極２２０と第２の電極２３０との間で結合静電容量が生成される。第１の電極２２０に駆動信号が順次印加されると、接触物体２７０が接触した領域に隣接した第１の電極２２０と第２の電極２３０との間で生成される結合静電容量で静電容量の変化が発生する。上記静電容量の変化は、接触物体２７０と駆動信号が印加された第１の電極２２０及び第２の電極２３０の間の重なり領域の面積に比例する。図３を参照すると、チャネルＤ２及びＤ３にそれぞれ連結された第１の電極２２０と第２の電極２３０との間で生成された結合静電容量は接触物体２７０から影響を受ける。
【００４３】
図５は、本発明の実施例によるタッチスクリーン装置を示す図である。
【００４４】
図５を参照すると、本実施例によるタッチスクリーン装置は、パネル部３１０と、駆動回路部３２０と、感知回路部３３０と、信号変換部３４０と、演算部３５０と、を含む。この際、駆動回路部３２０、感知回路部３３０、信号変換部３４０及び演算部３５０は、一つの集積回路（ＩＣ）として具現されることができる。本実施例によるタッチスクリーン装置は、図２〜図５に示されているタッチパネルを本実施例によるパネル部３１０として用いることができる。
【００４５】
パネル部３１０は、第１の軸（図５の横方向）方向に伸びる複数行の第１の電極Ｘ１‐Ｘｍと、第１の軸に交差する第２の軸（図５の縦方向）方向に伸びる複数列の第２の電極Ｙ１‐Ｙｎと、を含む。この際、ノードキャパシタＣ１１〜Ｃｍｎは、複数の第１の電極Ｘ１‐Ｘｍと第２の電極Ｙ１‐Ｙｎとの交差点で生成される結合静電容量を等価的に示したものである。
【００４６】
駆動回路部３２０は、パネル部３１０の複数の第１の電極Ｘ１‐Ｘｍに所定の駆動信号を印加する。駆動信号は、所定の周期と振幅を有する矩形波（Ｓｑｕａｒｅ  Ｗａｖｅ）、正弦波（Ｓｉｎｅ  Ｗａｖｅ）、三角波（Ｔｒｉａｎｇｌｅ  Ｗａｖｅ）であり、複数の第１の電極Ｘ１‐Ｘｍのそれぞれに順次印加されることができる。図５には駆動信号を生成及び印加するための回路が複数の第１の電極Ｘ１‐Ｘｍのそれぞれに個別に連結されることが示されているが、一つの駆動信号生成回路を備えてスイッチング回路を用いて複数の第１の電極Ｘ１‐Ｘｍのそれぞれに駆動信号を印加する構成も可能である。また、全ての第１の電極Ｘ１‐Ｘｍに同時に駆動信号を印加するか又は一部の第１の電極Ｘ１‐Ｘｍにのみ選択的に駆動信号を印加して単にタッチ入力の有／無のみを感知する方式で動作することもできる。
【００４７】
感知回路部３３０は、複数の第２の電極Ｙ１‐ＹｎからノードキャパシタＣ１１‐Ｃｍｎの静電容量を検出する。感知回路部３３０は少なくとも一つの演算増幅器と少なくとも一つのキャパシタをそれぞれ備える複数のＣ‐Ｖコンバーター３３５を含み、複数のＣ‐Ｖコンバーター３３５のそれぞれは複数の第２の電極Ｙ１‐Ｙｎと連結されることができる。
【００４８】
複数のＣ‐Ｖコンバーター３３５は、ノードキャパシタＣ１１‐Ｃｍｎの静電容量を電圧信号に変更してアナログ信号を出力することができる。一例として、複数のＣ‐Ｖコンバーター３３５のそれぞれは、静電容量を積分する積分回路を含むことができる。積分回路は、静電容量を積分して所定の電圧に変更して出力することができる。
【００４９】
図４にはＣ‐Ｖコンバーター３３５の構成のうち演算増幅器の反転端と出力端の間にキャパシタＣＦが配置されることが示されているが、回路構成の配置は変わっても良い。また、図４には一つの演算増幅器と一つのキャパシタを備えることが示されているが、これとは異なり、複数の演算増幅器と複数のキャパシタを備えても良い。
【００５０】
複数の第１の電極Ｘ１‐Ｘｍに駆動信号を順次印加する場合、複数の第２の電極Ｙ１‐Ｙｎから静電容量を同時に検出することができるため、Ｃ‐Ｖコンバーター３３５は、複数の第２の電極Ｙ１‐Ｙｎの個数であるｎ個分だけ備えられることができる。
【００５１】
信号変換部３４０は、感知回路部３３０から出力されるアナログ信号からデジタル信号ＳＤを生成する。一例として、信号変換部３４０は、電圧の形で感知回路部３３０から出力されるアナログ信号が所定の基準電圧レベルまで到達する時間を測定してこれをデジタル信号ＳＤに変換するＴＤＣ（Ｔｉｍｅ‐ｔｏ‐Ｄｉｇｉｔａｌ  Ｃｏｎｖｅｒｔｅｒ）回路、又は感知回路部３３０から出力されるアナログ信号のレベルが所定時間中に変化する量を測定してこれをデジタル信号ＳＤに変換するＡＤＣ（Ａｎａｌｏｇ‐ｔｏ‐Ｄｉｇｉｔａｌ  Ｃｏｎｖｅｒｔｅｒ）回路を含むことができる。
【００５２】
演算部３５０は、デジタル信号ＳＤを用いてパネル部３１０に印加された接触入力を判断する。デジタル信号ＳＤを用いてパネル部３１０に印加されたタッチ入力の個数、座標、ジェスチャー動作等を判断することができる。
【００５３】
演算部３５０がタッチ入力を判断するときに基礎となるデジタル信号ＳＤは、静電容量の変化Ｃ１１〜Ｃｍｎを数値化したデータ、特に、タッチ入力が発生しなかった場合とタッチ入力が発生した場合との静電容量の差を示すデータである。通常、静電容量方式のタッチスクリーン装置において、伝導性物体が接触した領域は、接触しなかった領域に比べて静電容量が減少する。
【００５４】
図６は図３のタッチパネルのＡ部分の拡大図であり、図７は図６の第１の電極を示す図であり、図８は図６の第２の電極を示す図である。
【００５５】
図３及び図６〜図８を参照すると、本実施例によるタッチパネルの基板の下面に設けられる第１の電極の幅は、基板の上面に設けられる第２の電極の幅と同じである。下面は一方の面の一例であってよく、上面は他方の面の一例であってよい。
【００５６】
また、第１の電極を構成するメッシュ状の導体線のピッチは第２の電極を構成するメッシュ状の導体線のピッチより小さく、一例として、第１の電極を構成するメッシュ状の導体線のピッチは３００μｍ〜５００μｍである。第２の電極を構成するメッシュ状の導体線のピッチは、第１の電極を構成するメッシュ状の導体線のピッチの２〜４倍に該当しても良い。この際、第１の電極の導体線の線幅は５μｍ、第２の電極の導体線の線幅は３μｍであっても良い。
【００５７】
一例として、第１の電極と第２の電極との交差領域で第２の電極の導体線の全ては第１の電極の導体線の一部と重なって一つの線状を形成することができる。即ち、第２の電極の導体線のピッチが第１の電極の導体線のピッチより大きいため、第２の電極の導体線の全てが第１の電極の導体線の一部と重なることができる。
【００５８】
下記の表１は、図３のタッチパネルによるシミュレーションデータである。表１の比較実施例は、第１の電極と第２の電極の幅が同じであり、第１の電極と第２の電極を構成する導体線のピッチが同じである。また、表１の図６の実施例は、第２の電極の導体線のピッチが第１の電極の導体線のピッチの３倍である。
【００５９】
【表１】
0005888618.tif 000002
【００６０】
上記の表１の比較実施例と図６の実施例とを比較すると、静電容量の変化量は、比較実施例が０．１６２ｐＦ、図６の実施例が０．１８６ｐＦと、図６の実施例が高いが、静電容量の変化率は、比較実施例が１６．４％、図６の実施例が１５．３％と、比較実施例がより高いことが分かる。
【００６１】
接触物体及びＬＣＤのノイズによる静電容量は、比較実施例がそれぞれ０．４０５、０．３３１、図６の実施例がそれぞれ０．３６２及び０．２０１と、図６の実施例がノイズによる影響をあまり受けないことが分かる。これは、表１の雑音比指数（ＳＮＲ  ＩＮＤＥＸ）からも分かる。
【００６２】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有する者には明らかである。
【符号の説明】
【００６３】
２００  タッチパネル
２１０  基板
２２０  第１の電極
２３０  第２の電極
２４０、２５０  複数のパッド
２６０  カバーレンズ
３１０  パネル部
３２０  駆動回路部
３３０  感知回路部
３４０  信号変換部
３５０  演算部
【図１】
0005888618.tif 000003
【図２】
0005888618.tif 000004
【図３】
0005888618.tif 000005
【図４】
0005888618.tif 000006
【図５】
0005888618.tif 000007
【図６】
0005888618.tif 000008
【図７】
0005888618.tif 000009
【図８】
0005888618.tif 000010